(57)【要約】      （修正有）【課題】押ボタン箱自体の存在を歩行者に明確に認識させることができ、歩行者支援機能を十分に発揮し得る交通信号機における歩行者用押ボタン箱を提供する。【解決手段】交通信号機における歩行者用押ボタン箱は、押ボタン箱本体２と、この押ボタン箱本体２の正面に設けた歩行者用交通信号灯操作用の押ボタン３及び歩行者用案内文字表示部４ａ、４ｂと、を有する交通信号機における歩行者用押ボタン箱１であって、押ボタン箱本体２の左右両側面に、点滅によりこの押ボタン箱本体２の存在を強調表示する存在強調表示灯部４ａ、４ｂを設ける。【選択図】図１
0003131887.tif 000002
【実用新案登録請求の範囲】
【請求項１】
押ボタン箱本体と、この押ボタン箱本体の正面に設けた歩行者用交通信号灯操作用の押ボタン及び歩行者用案内文字表示部と、を有する交通信号機における歩行者用押ボタン箱であって、
前記押ボタン箱本体の側面に、点滅によりこの押ボタン箱本体の存在を強調表示する存在強調表示灯部を設けたことを特徴とする交通信号機における歩行者用押ボタン箱。
【請求項２】
押ボタン箱本体と、この押ボタン箱本体の正面に設けた歩行者用交通信号灯操作用の押ボタン及び歩行者用案内文字表示部と、を有する交通信号機における歩行者用押ボタン箱であって、
前記押ボタン箱本体の左右両側面に、点滅によりこの押ボタン箱本体の存在を強調表示する存在強調表示灯部を設けたことを特徴とする交通信号機における歩行者用押ボタン箱。
【請求項３】
押ボタン箱本体と、この押ボタン箱本体の正面に設けた歩行者用交通信号灯操作用の押ボタン及び歩行者用案内文字表示部と、を有する交通信号機における歩行者用押ボタン箱であって、
前記押ボタン箱本体の左右両側面に、点滅によりこの押ボタン箱本体の存在を強調表示する存在強調表示灯部を設けるとともに、前記押ボタンをタッチ式スイッチにより構成したことを特徴とする交通信号機における歩行者用押ボタン箱。
【請求項４】
押ボタン箱本体と、この押ボタン箱本体の正面に設けた歩行者用交通信号灯操作用の押ボタン及び歩行者用案内文字表示部と、を有する交通信号機における歩行者用押ボタン箱であって、
前記押ボタン箱本体の左右両側面に、点滅によりこの押ボタン箱本体の存在を強調表示する赤色発光ダイオードを用いた存在強調表示灯部を設けるとともに、前記押ボタンを、応答音発生機能付タッチ式スイッチにより構成したことを特徴とする交通信号機における歩行者用押ボタン箱。
【考案の詳細な説明】
【技術分野】
【０００１】
本考案は、交通信号機における歩行者用押ボタン箱に関し、詳しくは、押ボタン箱自体の存在の明確化、更にはボタン操作性の向上を図った歩行者用押ボタン箱に関するものである。
【背景技術】
【０００２】
近年、交通事故死者数は減少傾向にあるものの依然として多くの人が亡くなっているのが実情であり、特に全交通事故死者に対する歩行者・自転車利用者の占める割合は約４１％程度と高い水準にある。
【０００３】
警察庁と国土交通省では、「安心歩行エリア」を指定し、信号機への歩行者支援機能の付加等を定めた総合的な対策に取り組んでいる。また、歩行者が車道を横断するための横断歩道に設置される歩行者用押ボタン箱の仕様が定められているが、その制定から相当の年月が経過している。
【０００４】
実際に設置されている交通信号機における歩行者用押ボタン箱は、例えば、横断歩道に臨む歩道エリアに配置した支柱等に取り付けた押ボタン箱本体の正面に、信号灯切り替え操作用の例えばメカニカルスイッチからなる押ボタンと、「おしてください」等の文字を表示する文字表示部とを設けたものが一般的である。
【０００５】
このような歩行者用押ボタン箱は、その存在を歩行者に明確に認識させる存在強調手段を設けておらず、このため昼間、夕暮れ時、夜間等の各時間帯を問わず、押ボタン箱自体の存在位置が不明確となって、歩行者支援機能が必ずしも十分に発揮されているとは言えないのが現状である。
【０００６】
特許文献１には、押ボタン箱の正面に、押ボタンに加えて歩行者用の信号灯が青色に変化するまでの時間をデジタル表示する表示部を付加した歩行者用表示装置が提案されている。
【０００７】
しかし、この特許文献１の歩行者用表示装置の場合も、その存在を歩行者に明確に認識させる存在強調手段を設けたものではなく、歩行者支援機能が必ずしも十分に発揮されているとは言えない。
【特許文献１】特開２００２−１８３８９０号公報
【考案の開示】
【考案が解決しようとする課題】
【０００８】
本考案が解決しようとする問題点は、押ボタン箱自体の存在を歩行者に明確に認識させることができ、歩行者支援機能を十分に発揮し得る交通信号機における歩行者用押ボタン箱が存在しない点である。
【課題を解決するための手段】
【０００９】
本考案の交通信号機における歩行者用押ボタン箱は、押ボタン箱本体と、この押ボタン箱本体の正面に設けた歩行者用交通信号灯操作用の押ボタン及び歩行者用案内文字表示部と、を有する交通信号機における歩行者用押ボタン箱であって、前記押ボタン箱本体の側面に、点滅によりこの押ボタン箱本体の存在を強調表示する存在強調表示灯部を設けたことを最も主要な特徴とする。
【考案の効果】
【００１０】
本考案によれば、以下の効果を奏する。
請求項１記載の考案によれば、横断歩道を渡ろうとする歩行者は、押ボタン箱に設けた存在強調表示灯部の点滅状態を視認することで、昼間、夕暮れ時、夜間のいずれの時間帯においてもこの押ボタン箱の存在位置を極めて明確に認識することができ、信号灯切り替え操作を速やかに実行できる交通信号機における歩行者用押ボタン箱を提供することができる。
【００１１】
請求項２記載の考案によれば、横断歩道を渡ろうとする歩行者は、押ボタン箱の左右両側面に設けたいずれかの存在強調表示灯部の点滅状態を視認することで、昼間、夕暮れ時、夜間のいずれの時間帯においてもこの押ボタン箱の存在位置を極めて明確に認識することができ、信号灯切り替え操作を速やかに実行できる交通信号機における歩行者用押ボタン箱を提供することができる。
【００１２】
請求項３記載の考案によれば、請求項２記載の考案の効果に加えて、押ボタンがタッチ式スイッチであるため、信号灯切り替え操作が簡略容易であり、大人、子供を問わず全ての歩行者に対する支援機能を十分に発揮させることができる交通信号機における歩行者用押ボタン箱を提供することができる。
【００１３】
請求項４記載の考案によれば、請求項３記載の考案と同様の効果を奏するとともに、押ボタンを応答音発生機能付としているので、歩行者は自己の押ボタン操作を確認することができる交通信号機における歩行者用押ボタン箱を提供することができる。
【考案を実施するための最良の形態】
【００１４】
本考案は、押ボタン箱自体の存在を歩行者に明確に認識させることができ、歩行者支援機能を十分に発揮し得る交通信号機における歩行者用押ボタン箱を提供するという目的を、押ボタン箱本体と、この押ボタン箱本体の正面に設けた歩行者用交通信号灯操作用の押ボタン及び歩行者用案内文字表示部と、を有する交通信号機における歩行者用押ボタン箱であって、前記押ボタン箱本体の左右両側面に、点滅によりこの押ボタン箱本体の存在を強調表示する存在強調表示灯部を設けた構成により実現した。
【実施例】
【００１５】
以下に、本考案の実施例に係る交通信号機における歩行者用押ボタン箱について図面を参照して詳細に説明する。
【００１６】
本実施例に係る交通信号機における歩行者用押ボタン箱１は、図１及び図２に示すように、例えば外面全体を黄色に着色した箱形状の押ボタン箱本体２と、この押ボタン箱本体２の正面に設けた詳細は後述する歩行者用交通信号灯２０を操作するための外形が例えば円形状の押ボタン３及び上下２箇所構成の歩行者用案内文字表示部４ａ、４ｂと、を有している。
【００１７】
前記押ボタン箱本体２の左右両側面には、点滅によりこの押ボタン箱本体２の存在を歩行者に強調表示する赤色発光ダイオードを用いた例えば縦長長方形状の存在強調表示灯部５ａ、５ｂを各々付加している。
【００１８】
前記歩行者用押ボタン箱１は、取り付け金具６を用いて横断歩道に臨む歩道エリアの所定の位置に配置した支柱７における所定位置（大人、子供を問わず操作可能な高さ位置）に取り付け固定している。
【００１９】
前記押ボタン３は、例えば焦電式、静電式、超音波式等のスイッチ構成のいずれかから選定したタッチ式スイッチを使用し、歩行者が指等で直接軽く触れたり、手袋を着用した指で軽く触れるだけでスイッチ応答する高感度な構成としている。
【００２０】
前記上段の歩行者用案内文字表示部４ａ、下段の歩行者用案内文字表示部４ｂは、各々例えば赤色発光ダイオードを所要個数列設して又は液晶パネルを用いて構成されて、上段の歩行者用案内文字表示部４ａは後述する押ボタン箱点灯制御回路１１の制御の基に、図５に示すように、「おまちください」の文字表示を、下段の歩行者用案内文字表示部４ｂは、図６に示すように、「ふれてください」の文字表示を行うように構成している。
【００２１】
次に、本実施例に係る交通信号機における歩行者用押ボタン箱１及びこれに連動する歩行者用交通信号灯２０の制御系について図３を参照して説明する。
【００２２】
この制御系は、図３に示すように、押ボタン箱点灯制御回路１１を具備し、前記押ボタン３からの操作信号と、この押ボタン箱点灯制御回路１１に予め搭載した押ボタン箱動作プログラムに基づき、前記上段の歩行者用案内文字表示部４ａ、下段の歩行者用案内文字表示部４ｂの点灯制御を行うとともに、前記押ボタン箱動作プログラムに基づき右側面の存在強調表示灯部５ａ及び左側面の存在強調表示灯部５ｂの点滅制御又は滅灯制御を行うようになっている。
また、前記制御系は、前記押ボタン３からの操作信号に応答して簡易音（例えばブザー音、チャイム音等）を短時間発する応答音発音部１２を具備している。
【００２３】
更に制御系は、横断歩道に臨む所定の位置に設置される歩行者用交通信号灯２０用の交通信号制御装置２１を具備し、前記押ボタン３からの操作信号と、交通信号制御装置２１に予め搭載した交通信号灯動作プログラムに基づき、赤色信号灯２２、青色信号灯２３の切り替え点灯制御を実行するようになっている。
【００２４】
次に、本実施例に係る交通信号機における歩行者用押ボタン箱１の動作を、歩行者用交通信号灯２０と関連させ、図４をも参照して説明する。
【００２５】
なお、初期状態として、前記歩行者用押ボタン箱１における左右両側面の存在強調表示灯部５ａ、５ｂは点滅状態にあり、下段の歩行者用案内文字表示部４ｂが点灯して、図６に示すように、「ふれてください」の文字が表示され、また、歩行者が視認する歩行者用交通信号灯２０の赤色信号灯２２が点灯して横断禁止状態にあるものとする。
【００２６】
このような状態下で、横断歩道を渡ろうとする歩行者は、歩行者用押ボタン箱１の左右両側面に設けた存在強調表示灯部５ａ、５ｂの点滅状態を視認することで、昼間、夕暮れ時、夜間のいずれの時間帯においてもこの歩行者用押ボタン箱１の存在位置を極めて明確に認識することができ、速やかに押ボタン３に手を伸ばし、信号灯切り替え操作を行うことができる。
また、歩行者用押ボタン３は、既述したように、タッチ式スイッチを採用しているので、歩行者は指で直接軽く触れ、又は、手袋を着用した指で軽く触れるだけの極めて簡略な操作で信号灯切り替え操作を行うことができる。
【００２７】
このようにして、歩行者が押ボタン３を操作すると、前記応答音発音部１２が応答して簡易音を短時間発し、当該歩行者に押ボタン３を操作したことを認識させるとともに、前記押ボタン３からの操作信号は前記押ボタン箱点灯制御回路１１、交通信号制御装置２１に各々送信される。
【００２８】
押ボタン箱点灯制御回路１１は、押ボタン３からの操作信号を受信すると、下段の歩行者用案内文字表示部４ｂを消灯し、上段の歩行者用案内文字表示部４ａを点灯して、図５に示すように、「おまちください」の文字を歩行者に提示する。
【００２９】
一方、交通信号制御装置２１は、押ボタン３からの操作信号を受信すると、予め搭載した交通信号灯動作プログラムに基づき、所定時間後赤色信号灯２２を消灯し、青色信号灯２３を点灯する。これにより、歩行者は青色信号灯２３を視認しつつ横断歩道を安全に渡ることができる。
【００３０】
また、交通信号制御装置２１は、青色信号灯２３を点灯した時点で信号切り替え信号を押ボタン箱点灯制御回路１１に送信し、これにより押ボタン箱点灯制御回路１１は、下段の歩行者用案内文字表示部４ｂを点灯し、上段の歩行者用案内文字表示部４ａを消灯する。これにより、歩行者用押ボタン箱１においては、下段の歩行者用案内文字表示部４ｂにより「ふれてください」の文字表示が行われる初期状態にもどる。
【００３１】
この後、交通信号制御装置２１は、交通信号灯動作プログラムに基づき、青色信号灯２３点灯から所定時間経過した時点で青色信号灯２３を点滅させた後消灯し、赤色信号灯２２を点灯する。これにより歩行者用交通信号灯２０も初期状態に戻る。
【００３２】
なお、以上の説明では、上述した横断歩道と交差する車道側を走行する車両用の交通信号灯には触れていないが、車両用の交通信号灯は、歩行者用交通信号灯２０とは逆の動作、すなわち、前記赤色信号灯２２が点灯している時には車両用の交通信号灯は青色信号灯を点灯させ、前記青色信号灯２３が点灯及び点滅している時には車両用の交通信号灯は赤色信号灯を点灯させることはいうまでもない。
【００３３】
以上説明した本実施例の交通信号機における歩行者用押ボタン箱１によれば、横断歩道を渡ろうとする歩行者は、歩行者用押ボタン箱１の左右両側面に設けた存在強調表示灯部５ａ、５ｂのうちのいずれかの点滅状態を視認することで、昼間、夕暮れ時、夜間のいずれの時間帯においても、この歩行者用押ボタン箱１の存在位置を極めて明確に認識することができ、信号灯切り替え操作を速やかに実行できるとともに、押ボタン３がタッチ式スイッチであるため、信号灯切り替え操作が簡略容易であり、大人、子供を問わず全ての歩行者に対する支援機能を十分に発揮させることができる。
【産業上の利用可能性】
【００３４】
本考案は、一般の車道を横断する横断歩道用として用いる他、例えば電車線路を横断する踏み切りや大規模駐車場の横断歩道等に設置する歩行者用押ボタン箱として幅広く応用可能である。
【図面の簡単な説明】
【００３５】
【図１】本考案の実施例に係る歩行者用押ボタン箱の右側面側から見た状態の概略斜視図である。
【図２】本実施例に係る歩行者用押ボタン箱の左側面側から見た状態の概略斜視図である。
【図３】本実施例に係る歩行者用押ボタン箱及び歩行者用信号灯の制御系を示す概略ブロック図である。
【図４】本実施例に係る歩行者用押ボタン箱及び歩行者用信号灯の動作を示すタイミングチャートである。
【図５】本実施例に係る歩行者用押ボタン箱の「おまちください」の文字表示状態を示す正面図である。
【図６】本実施例に係る歩行者用押ボタン箱の「ふれてください」の文字表示状態を示す正面図である。
【符号の説明】
【００３６】
１    歩行者用押ボタン箱
２    押ボタン箱本体
３    押ボタン
４ａ  歩行者用案内文字表示部
４ｂ  歩行者用案内文字表示部
５ａ  存在強調表示灯部
５ｂ  存在強調表示灯部
６    取り付け金具
７    支柱
１１    押ボタン箱点灯制御回路
１２    応答音発音部
２０    歩行者用交通信号灯
２１    交通信号制御装置
２２    赤色信号灯
２３    青色信号灯
【図１】
0003131887.tif 000003
【図２】
0003131887.tif 000004
【図３】
0003131887.tif 000005
【図４】
0003131887.tif 000006
【図５】
0003131887.tif 000007
【図６】
0003131887.tif 000008